(57)【要約】【課題】加熱する水量を少なくして効率よく洗濯物に温水を作用させ、少ないエネルギーで洗浄力を高める。【解決手段】洗濯兼脱水槽３４内に温水を供給する温水供給手段４２と、洗濯兼脱水槽３４の投入口３４ａと温水供給手段４２の下流側をつなぐ連通部４４と、温水供給手段４２の上流側と外槽３３を連通し、外槽３３の水を温水供給手段４２に送水する送水部４３を備え、制御手段３９は、給水手段３６により外槽３３に所定水量を給水後、駆動手段３５により洗濯兼脱水槽３４を共振通過後の低振動領域回転数４５で回転させ、外槽３３に発生する水流が、送水部４３、温水供給手段４２、連通部４４、洗濯兼脱水槽３４、外槽３３の順に循環する予洗い工程を洗剤投入前に実行するようにしたものである。【選択図】図１
2013236694.tif 000002
【特許請求の範囲】
【請求項１】
外槽と、
前記外槽内に回転自在に配設された洗濯兼脱水槽と、
前記洗濯兼脱水槽を回転させる駆動手段と、
前記外槽に水を供給する給水手段と、
前記洗濯兼脱水槽内に温水を供給する温水供給手段と、
前記洗濯兼脱水槽の投入口と前記温水供給手段の下流側をつなぐ連通部と、
前記温水供給手段の上流側と前記外槽を連通し、前記外槽の水を前記温水供給手段に送水する送水部と、
洗濯運転を制御する制御手段とを備え、
前記制御手段は、前記給水手段により前記外槽に所定水量を給水後、前記駆動手段により前記洗濯兼脱水槽を共振通過後の低振動域回転数で回転させ、前記外槽に発生する水流が、前記送水部、前記温水供給手段、前記連通部、前記洗濯兼脱水槽、前記外槽の順に循環する予洗い工程を、洗剤投入前に実行するようにした洗濯機。
【請求項２】
制御手段は、すすぎ水を排水した後、洗濯兼脱水槽を共振通過後の低振動域回転数で回転させ、外槽に発生する水流が、送水部、温水供給手段、連通部、洗濯兼脱水槽、前記外槽の順に循環する高温の除菌工程を、予洗い工程より長い時間実行するようにした請求項１に記載の洗濯機。
【請求項３】
制御手段は、すすぎ水を排水した後、洗濯兼脱水槽を共振通過後の低振動域回転数で回転させ、外槽に発生する水流が送水部に設けた貯水部に流入し、前記貯水部に水が満たされた後に、前記洗濯兼脱水槽を低速で正反転させながら温水供給手段からの温水が前記洗濯兼脱水槽に供給されるようにした請求項１に記載の洗濯機。
【請求項４】
制御手段は、貯水部と温水供給手段の間に設けた流量調節手段により前記温水供給手段に供給される水量を調節し、前記温水供給手段で発生した蒸気が洗濯兼脱水槽に噴出するようにした請求項３に記載の洗濯機。
【請求項５】
制御手段は、貯水部の水がなくなると洗濯兼脱水槽を共振通過後の低振動域回転数で回転させて洗濯物から水を搾り出し、外槽に発生する水流を前記貯水部に導き前記貯水部に水を満たした後に前記洗濯兼脱水槽を低速で正反転させ、温水供給手段で発生した蒸気が洗濯兼脱水槽に噴出するようにした請求項４に記載の洗濯機。
【請求項６】
制御手段は、連通部の出口に設けた温度検知手段の信号に応じて流量調節手段を制御し、温水供給手段に供給する水量を変えるようにした請求項１に記載の洗濯機。
【発明の詳細な説明】
【技術分野】
【０００１】
本発明は、衣類等の洗濯を行う洗濯機に関するものである。
【背景技術】
【０００２】
従来、この種の洗濯機は、洗濯物の汚れ落ちをよくするために、洗濯水を加熱して洗浄効果を高めることが知られている（例えば、特許文献１参照）。
【０００３】
図９は、特許文献１に記載された従来のドラム式洗濯機を示すものである。図９に示すように、洗濯兼脱水槽１の回転に伴って回転する洗濯水の循環水路２を構成し、外槽３に設けた取水口４から取り込んだ洗濯水を循環水路２を経て吐出口５から洗濯兼脱水槽１内へ吐出させるとともに、外槽３内の底部に設けたヒータ６で洗濯水を加熱し、洗濯兼脱水槽１を回転させることで、加熱した洗濯水を吐出口５から洗濯兼脱水槽１内へ吐出させるようにしたものである。これにより、加熱された洗濯水が洗濯物にふりかけられるため、洗濯水の分子活動が高まり、また、洗剤も活性化されるので、洗浄力を高めるとともに、洗いムラを少なくすることができる。
【０００４】
また、外槽に給水された水を循環装置で洗濯兼脱水槽内に供給して洗濯物を濡らし、洗濯兼脱水槽の回転により、洗濯物に吸収された水を搾り取って加熱し、加熱された水を循環装置を介して洗濯兼脱水槽内へ再給水することによって、少ない水を加熱して洗濯することが考えられている（例えば、特許文献２参照）。
【先行技術文献】
【特許文献】
【０００５】
【特許文献１】特開２００７−１１７１３５号公報
【特許文献２】特開２００８−２０６９６４号公報
【発明の概要】
【発明が解決しようとする課題】
【０００６】
しかしながら、特許文献１に記載された従来の構成では、外槽内の水を加熱するヒータが外槽内の底部に設けられているため、ヒータを完全に水没させて安全に水を加熱するためには、多くの水を必要とし、加熱エネルギーも多くなるという問題があった。
【０００７】
また、特許文献２に記載された従来の構成では、洗濯兼脱水槽の回転により、洗濯物に吸収された水を搾り取る際に、洗濯水に含まれる洗剤の泡の抵抗で、洗濯兼脱水槽の回転数が十分に上がらず、洗濯物から搾り取る水量が少なくなるとヒータが露出するため、ヒータを水没した状態を維持するための水量が必要となっていた。更に、循環装置の配管にも水が充満しており、水量が多くなるという課題があった。
【０００８】
本発明は、前記従来の課題を解決するもので、加熱する水量を少なくして効率よく洗濯物に温水を作用させ、少ないエネルギーで洗浄力を高めることができる洗濯機を提供することを目的とする。
【課題を解決するための手段】
【０００９】
前記従来の課題を解決するために、本発明の洗濯機は、洗濯兼脱水槽内に温水を供給する温水供給手段と、前記洗濯兼脱水槽の投入口と前記温水供給手段の下流側をつなぐ連通部と、前記温水供給手段の上流側と外槽を連通し、前記外槽の水を前記温水供給手段に送水する送水部と、洗濯運転を制御する制御手段とを備え、前記制御手段は、給水手段によ
り前記外槽に所定水量を給水後、駆動手段により前記洗濯兼脱水槽を共振通過後の低振動域回転数で回転させ、前記外槽に発生する水流が、前記送水部、前記温水供給手段、前記連通部、前記洗濯兼脱水槽、前記外槽の順に循環する予洗い工程を、洗剤投入前に実行するようにしたものである。
【００１０】
これによって、外槽の底部に温水供給手段がないので外槽に水を貯める必要がなく、少量の水を加熱することができるようになり、少ないエネルギーで温水を洗濯物に供給することができる。また、予洗い工程を洗剤投入前に実行するため、泡の抵抗がなく洗濯兼脱水槽を高速で回転させることができ、洗濯物を温めて冷めた水を素早く洗濯物から分離して温水供給手段に送水し、再び温水にして洗濯物に供給することができるので、洗濯物の温度を素早く効率的に上昇させることができる。
【発明の効果】
【００１１】
本発明の洗濯機は、洗濯物に温水を効率よく作用させることができ、少ないエネルギーで洗浄力を高めることができる。
【図面の簡単な説明】
【００１２】
【図１】本発明の実施の形態１における洗濯機の正面から見た要部断面図
【図２】同洗濯機の洗濯兼脱水槽の回転数と外槽の振動振幅の関係を示すグラフ
【図３】本発明の実施の形態２における洗濯機の正面から見た要部断面図
【図４】本発明の実施の形態３における洗濯機の正面から見た要部断面図
【図５】同洗濯機の正面から見た要部断面図
【図６】本発明の実施の形態４における洗濯機の正面から見た要部断面図
【図７】本発明の実施の形態５における洗濯機の貯水部の水位と洗濯兼脱水槽の回転数の関係を示すグラフ
【図８】本発明の実施の形態６における洗濯機の正面から見た要部断面図
【図９】従来のドラム式洗濯機の要部断面図
【発明を実施するための形態】
【００１３】
第１の発明は、外槽と、前記外槽内に回転自在に配設された洗濯兼脱水槽と、前記洗濯兼脱水槽を回転させる駆動手段と、前記外槽に水を供給する給水手段と、前記洗濯兼脱水槽内に温水を供給する温水供給手段と、前記洗濯兼脱水槽の投入口と前記温水供給手段の下流側をつなぐ連通部と、前記温水供給手段の上流側と前記外槽を連通し、前記外槽の水を前記温水供給手段に送水する送水部と、洗濯運転を制御する制御手段とを備え、前記制御手段は、前記給水手段により前記外槽に所定水量を給水後、前記駆動手段により前記洗濯兼脱水槽を共振通過後の低振動域回転数で回転させ、前記外槽に発生する水流が、前記送水部、前記温水供給手段、前記連通部、前記洗濯兼脱水槽、前記外槽の順に循環する予洗い工程を、洗剤投入前に実行するようにしたことにより、外槽の底部に温水供給手段がないので外槽に水を貯める必要がなく、少量の水を加熱することができるようになり、少ないエネルギーで温水を洗濯物に供給することができる。また、予洗い工程を洗剤投入前に実行しているため、泡の抵抗がなく洗濯兼脱水槽を高速で回転させることができ、洗濯物を温めて冷めた水を素早く洗濯物から分離し、温水供給手段に送水して再び温水にして洗濯物に供給することができるので、効率的で早く洗濯物の温度を高めることができる。そして、皮脂のような油汚れを、本洗浄前の予洗い工程で洗濯物から浮き上がらせた後、本洗浄で除去することができるので、皮脂による黄ばみや臭いの発生を確実に防止することができ、洗浄力の向上と洗いむらの低減を、少ないエネルギーで安価に実現することができる。
【００１４】
第２の発明は、特に、第１の発明の制御手段は、すすぎ水を排水した後、洗濯兼脱水槽を共振通過後の低振動域回転数で回転させ、外槽に発生する水流が、送水部、温水供給手
段、連通部、洗濯兼脱水槽、前記外槽の順に循環する高温の除菌工程を、予洗い工程より長い時間実行するようにしたことにより、洗濯物の温度を除菌温度まで上昇させることができ、雑菌などを効果的に除菌することができる。
【００１５】
第３の発明は、特に、第１の発明の制御手段は、すすぎ水を排水した後、洗濯兼脱水槽を共振通過後の低振動域回転数で回転させ、外槽に発生する水流が送水部に設けた貯水部に流入し、前記貯水部に水が満たされた後に、前記洗濯兼脱水槽を低速で正反転させながら温水供給手段からの温水が前記洗濯兼脱水槽に供給されるようにしたことにより、温水を洗濯物に均一にかけることができ、洗濯物の温度バラツキが少なくなって、除菌性能を向上することができる。
【００１６】
第４の発明は、特に、第３の発明の制御手段は、貯水部と温水供給手段の間に設けた流量調節手段により前記温水供給手段に供給される水量を調節し、前記温水供給手段で発生した蒸気が洗濯兼脱水槽に噴出するようにしたことにより、高温の蒸気を洗濯物にかけることができ、洗濯物の温度を素早く除菌温度に高めることができる。
【００１７】
第５の発明は、特に、第４の発明の制御手段は、貯水部の水がなくなると洗濯兼脱水槽を共振通過後の低振動域回転数で回転させて洗濯物から水を搾り出し、外槽に発生する水流を前記貯水部に導き前記貯水部に水を満たした後に前記洗濯兼脱水槽を低速で正反転させ、温水供給手段で発生した蒸気が洗濯兼脱水槽に噴出するようにしたことにより、洗濯兼脱水槽を低速で正反転させながら温水供給手段からの蒸気が洗濯兼脱水槽に繰り返し供給されるようになり、蒸気が洗濯物に均一にかかるとともに、蒸気のかかる時間を長くすることができ、洗濯物の温度バラツキが少なく、かつ、高温になって更に除菌性能を向上することができる。
【００１８】
第６の発明は、特に、第１の発明の制御手段は、連通部の出口に設けた温度検知手段の信号に応じて流量調節手段を制御し、温水供給手段に供給する水量を変えるようにしたことにより、洗濯物の許容最高温度が低い場合に、それ以上の温度の温水が洗濯物にかからないようにすることができ、洗濯物を安全に洗浄、除菌することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における洗濯機の正面から見た要部断面図、図２は、同洗濯機の洗濯兼脱水槽の回転数と外槽の振動振幅の関係を示すグラフである。
【００２１】
図１および図２において、洗濯機外枠３０は、３本の弾性体３１と、２本の減衰装置３２により外槽３３を弾性支持している。洗濯兼脱水槽３４は、外槽３３内に回転自在に配設している。モータ（駆動手段）３５は、ブラシレス直流モータから成っており、インバータ制御され、回転速度が自在に変化されるようになっており、外槽３３の後部の外面に取り付けて洗濯兼脱水槽３４を直接回転させるようにしている。
【００２２】
給水手段３６は、外槽３３内と洗剤供給手段３７に洗濯水を給水するものである。水位検知手段（図示せず）は、外槽３３内の洗濯水の水位を検知する。排水手段３８は、外槽３３内の洗濯水を排水するものである。制御手段３９は、洗濯機外枠３０の前面下部に設けられている。
【００２３】
制御手段３９は、洗濯機外枠３０の前面上部に設けられた操作表示手段４０により入力された設定内容に基づいて、洗い、すすぎ、脱水の各工程を逐次制御するもので、パワー
スイッチング手段（図示せず）を介して、モータ３５、給水手段３６、排水手段３８などを逐次制御する。
【００２４】
減衰装置３２は、オイルを作動流体とする粘性ダンパーで、脱水起動時の外槽３３の共振振動振幅を低減するものであり、洗濯機外枠３０の底部３０ａと外槽３３の底部３３ａの間に固定されている。脚４１はゴムなどの弾性材料で構成され、洗濯機外枠３０の底部３０ａの四隅に配設されている。
【００２５】
給水手段３６は、外槽３３内への直接給水と、洗剤供給手段３７を経由する間接給水を切り替える電磁式の２方弁である。温水供給手段４２は、水路４２ａの外周に加熱ヒータ４２ｂを密着して配設したものである。また、水路４２ａは、加熱ヒータ４２ｂをインサートしてダイカストモールドしたブロックとしてもよい。ブロックは、金属、特にアルミ合金など熱伝導性の良好な金属によりモールドされる。
【００２６】
水路４２ａには、空焚き等による異常温度上昇を防止するサーモスタット４２ｃが設けられている。水路４２ａの入口には水の逆流を防止する逆止弁４２ｄが設けられている。この逆止弁４２ｄにより、水路４２ａの中の水が加熱されて膨張しても温水が逆流せずに水路４２ａの下流側のみに流れるようになる。
【００２７】
外槽３３の上部にある外槽３３の側壁３３ｂには、送水部４３の取水口４３ａが接続され、送水部４３の下流側は、逆止弁４２ｄの入口４２ｅと接続されている。水路４２ａの出口４２ｆと、洗濯兼脱水槽３４の前面側に設けられた投入口３４ａは、連通部４４で接続されており、連通部４４の出口４４ａにノズル４４ｂが設けられている。
【００２８】
一般に、洗濯物のアンバランスがある時の洗濯兼脱水槽３４の回転数と、外槽３３の振動振幅の関係は、図２に示すようになっており、１次共振と２次共振を通過した後の外槽３３の振動振幅は、各共振振動振幅よりも大幅に小さくなっている。
【００２９】
この領域の回転数を低振動域回転数４５と呼び、４００〜１０００ｒ／ｍｉｎまでをさすが、共振通過後で外槽３３の振動振幅が小さくなる回転数であれば１０００ｒ／ｍｉｎを超えてもよい。
【００３０】
以上のように構成された洗濯機について、以下その動作、作用を説明する。まず、洗濯兼脱水槽３４内に洗濯物を投入口３４ａから投入し、洗剤供給手段３７内に洗剤を入れた後、操作表示手段４０を操作して運転を開始する。これによって、制御手段３９は給水手段３６を直接給水側に設定し、外槽３３内に給水して予洗い工程を開始する。
【００３１】
この時、給水された水は、外槽３３と洗濯兼脱水槽３４で構成される隙間に流入し、直接洗濯物が吸水することはないので、吸水による洗濯物の温度低下を防ぐことができる。所定量の水が給水されると、制御手段３９は、モータ３５を駆動し洗濯兼脱水槽３４を低振動域回転数４５（４００ｒ／ｍｉｎ）で反時計回りに回転させる。
【００３２】
洗剤が投入される前なので泡の抵抗がなく、洗濯兼脱水槽３４は低エネルギーで４００ｒ／ｍｉｎを維持することができる。外槽３３の底部３３ａに貯まった予洗い水は、洗濯兼脱水槽３４の回転により外槽３３の内壁に沿って矢印方向へ流れ、予洗い水の一部は外槽３３の側壁３３ｂに設けた取水口４３ａから送水部４３を通って温水供給手段４２の水路４２ａに流れ込む。
【００３３】
制御手段３９は、予め加熱ヒータ４２ｂに通電して水路４２ａを昇温しており、水路４２ａを流れる予洗い水は瞬時に加熱されて温水となり、連通部４４を通ってノズル４４ｂ
から洗濯兼脱水槽３４内に噴出する。噴出した温水は、４００ｒ／ｍｉｎで回転する洗濯物に直接当たり瞬時に浸透する。
【００３４】
洗濯物に吸収された温水は、洗濯物と熱交換して冷めた予洗い水となり、遠心力で洗濯物から分離して外槽３３の内壁に流出し、洗濯兼脱水槽３４の回転により外槽３３の内壁に沿って矢印方向へ流れ、一部は再び外槽３３の側壁３３ｂに設けた取水口４３ａから送水部４３を通って温水供給手段４２の水路４２ａに流れ込む。
【００３５】
このようにして温水となった予洗い水が高速で循環して洗濯物を加熱する工程を、例えば１０分間実行し、洗濯物の温度を、例えば４０℃まで上昇させて、皮脂汚れを洗濯物から浮き上がらせる。予洗い工程が終了すると、本洗浄工程が開始する。
【００３６】
制御手段３９は、加熱ヒータ４２ｂへの通電を停止し、給水手段３６を間接給水に切り替えて洗剤供給手段３７に給水し、洗剤が溶けた洗濯水を外槽３３内に供給する。水位検知手段は外槽３３内に供給された洗濯水を検知し、制御手段３９は、投入された洗濯物の量に応じて設定された水位まで給水されると給水手段３６を停止する。
【００３７】
制御手段３９は、モータ３５を駆動し洗浄を開始する。制御手段３９は、洗濯兼脱水槽３４を、例えば４５ｒ／ｍｉｎで正転と反転を繰り返し行わせ、洗濯物を回転方向へ持ち上げては落とす、たたき洗いを、例えば１０分間行う。これにより、予洗い工程で洗濯物から浮き出た皮脂汚れは、洗濯物から完全に除去されることになる。以後、すすぎ工程、脱水工程へと進み、洗濯が終了する。
【００３８】
以上のように本実施の形態においては、外槽３３と、外槽３３内に回転自在に配設された洗濯兼脱水槽３４と、洗濯兼脱水槽３４を回転させる駆動手段３５と、外槽３３に水を供給する給水手段３６と、洗濯兼脱水槽３４内に温水を供給する温水供給手段４２と、洗濯兼脱水槽３４の投入口３４ａと温水供給手段４２の下流側をつなぐ連通部４４と、温水供給手段４２の上流側と外槽３３を連通し、外槽３３の水を温水供給手段４２に送水する送水部４３と、洗濯運転を制御する制御手段３９を備え、制御手段３９は、給水手段３６により外槽３３に所定水量を給水後、駆動手段３５により洗濯兼脱水槽３４を共振通過後の低振動域回転数４５で回転させ、外槽３３に発生する水流が、送水部４３、温水供給手段４２、連通部４４、洗濯兼脱水槽３４、外槽３３の順に循環する予洗い工程を、洗剤投入前に実行するようにしたものであり、洗濯兼脱水槽３４が泡の抵抗を受けない洗剤投入前の予洗い工程で、洗濯兼脱水槽３４を高速回転させながら洗濯物に温水を供給するとともに、洗濯物に含まれている水を高速回転による遠心力で搾りとり、再加熱して再び洗濯物に供給する高速循環加熱を、循環ポンプを使用せず洗濯兼脱水槽３４の回転で発生する水流を利用した簡単な構成で実現することができ、少ない水量で効率的に洗濯物の温度を上昇させ、主に皮脂のような油汚れを本洗浄前に洗濯物から浮き上がらせた後に、本洗浄で除去するので、皮脂による黄ばみや臭いの発生を確実に防止することができ、洗浄力の向上と洗いむらの低減を、少ないエネルギーで、かつ、安価に実現することができる。
【００３９】
なお、本実施の形態では、温水供給手段４２を外槽３３の正面から見て左側に設置した例を示したが、温水供給手段４２を外槽３３の右側に設置し、洗濯兼脱水槽３４を時計回りに回転させても同じ効果を発揮するものである。
【００４０】
（実施の形態２）
図３は、本発明の第２の実施の形態の洗濯機の正面から見た要部断面図である。図３において、制御手段３９は、すすぎ工程の最終において排水手段３８を開き、すすぎ水を排水後、再び排水手段３８を閉じる。制御手段３９は、加熱ヒータ４２ｂに通電するとともに、モータ３５を駆動し、洗濯兼脱水槽３４を低振動域回転数４５（４００ｒ／ｍｉｎ）
で反時計回りに回転させる。
【００４１】
すすぎ工程の最終なので泡の抵抗がなく、洗濯兼脱水槽３４は低エネルギーで４００ｒ／ｍｉｎを維持することができる。洗濯物に残留したすすぎ水は、遠心力で洗濯物から分離して外槽３３の内壁に流出し、洗濯兼脱水槽３４の回転により外槽３３の内壁に沿って矢印方向へ流れ、一部は外槽３３の側壁３３ｂに設けた取水口４３ａから送水部４３を通って温水供給手段４２の水路４２ａに流れ込む。
【００４２】
水路４２ａを流れるすすぎ水は瞬時に加熱されて温水となり、連通部４４を通ってノズル４４ｂから洗濯兼脱水槽３４内に噴出する。噴出した温水は、４００ｒ／ｍｉｎで回転する洗濯物に吸収され、洗濯物と熱交換して冷めたすすぎ水は、遠心力で洗濯物から分離して外槽３３の内壁に流出し、洗濯兼脱水槽３４の回転により外槽３３の内壁に沿って矢印方向へ流れ、一部は再び外槽３３の側壁３３ｂに設けた取水口４３ａから送水部４３を通って温水供給手段４２の水路４２ａに流れ込む。
【００４３】
このようにして温水となったすすぎ水が高速で循環して洗濯物を加熱する除菌工程を、例えば２０分間実行し、洗濯物の温度を７０℃まで上げ、洗濯物に残留した雑菌を死滅させる。制御手段３９は、除菌工程終了後、排水手段３８を開き洗濯兼脱水槽３４の回転を脱水回転数まで上昇させ脱水工程を開始する。他の構成は実施の形態１と同じであり、同一の構成に同一の符号を付して、詳細な説明は実施の形態１のものを援用する。
【００４４】
洗濯兼脱水槽３４を共振通過後の低振動域回転数４５で回転させ、外槽３３の内壁に発生する水流を送水部４３、温水供給手段４２、連通部４４、洗濯兼脱水槽３４、外槽３３の順に循環する高温の除菌工程を予洗い工程より長い時間実行するようにしたため、洗濯物の温度が除菌温度である７０℃まで上昇させることができ、雑菌などを効果的に死滅させることができる。また、排水後、洗濯物から搾り取った少量の残水を加熱するので加熱エネルギーも少なくすることができる。
【００４５】
（実施の形態３）
図４、図５は、本発明の第３の実施の形態の洗濯機の正面から見た要部断面図である。図４、図５において、制御手段３９は、すすぎ工程の最終において排水手段３８を開き、すすぎ水を排水した後、再び排水手段３８を閉じる。制御手段３９は、加熱ヒータ４２ｂに通電するとともに、モータ３５を駆動し、洗濯兼脱水槽３４を低振動域回転数４５（４００ｒ／ｍｉｎ）で反時計回りに回転させる。
【００４６】
すすぎ工程の最終なので泡の抵抗がなく、洗濯兼脱水槽３４は低エネルギーで４００ｒ／ｍｉｎを維持することができる。洗濯物に残留したすすぎ水は、遠心力で洗濯物から分離して外槽３３の内壁に流出し、洗濯兼脱水槽３４の回転により外槽３３の内壁に沿って矢印方向へ流れ、一部は外槽の側壁３３ｂに設けた取水口４３ａから送水部４３の出口側に設けた貯水部４６に流入し、その後、温水供給手段４２の水路４２ａに流れ込む。
【００４７】
貯水部４６から温水供給手段４２へ流出する流量は、貯水部４６に流入する流量より少なく設定しているので、貯水部４６の水位は上昇して行く。貯水部４６に設けた水位検知手段４７が貯水部４６の満水を検知すると、制御手段３９は洗濯兼脱水槽３４を４５ｒ／ｍｉｎで正転と反転を繰り返し行わせる。
【００４８】
貯水部４６に貯まった水は徐々に水路４２ａに流れ、加熱されて温水となり、連通部４４を通ってノズル４４ｂから低速で正反転する洗濯兼脱水槽３４内に噴出し、洗濯物に均一に供給される。他の構成は実施の形態１と同じであり、同一の構成に同一の符号を付して、詳細な説明は実施の形態１のものを援用する。
【００４９】
貯水部４６に水が満たされた後に、洗濯兼脱水槽３４を低速で正反転させながら温水供給手段４２から温水を洗濯兼脱水槽３４に供給されるようにしたことにより、温水が洗濯物に均一にかかることになり、洗濯物の温度のバラツキが少なくなって、除菌性能を向上することができる。
【００５０】
（実施の形態４）
図６は、本発明の第４の実施の形態の洗濯機の正面から見た要部断面図である。本実施の形態の特徴は、貯水部４６と温水供給手段４２の間に流量調節手段４８を設けたものである。他の構成は実施の形態１、３と同じであり、同一の構成に同一の符号を付して、詳細な説明は実施の形態１および３のものを援用する。
【００５１】
流量調節手段４８は、貯水部４６から温水供給手段４２に供給される水量を調節する。制御手段３９は、流量調節手段４８により温水供給手段４２に供給される水量を調節し、温水供給手段４２で蒸気を発生させる。温水供給手段４２で発生した蒸気は、連通部４４を通ってノズル４４ｂから洗濯兼脱水槽３４内に噴出し、洗濯兼脱水槽３４内の洗濯物に吹き付けられる。流量調節手段４８は、ニードルバルブとモータの組み合わせにより構成することができる。また、電磁弁の開閉時間制御等が利用できる。
【００５２】
これにより、高温の蒸気が洗濯兼脱水槽３４内の洗濯物にかかることになり、洗濯物の温度を素早く除菌温度である７０℃にすることができる。
【００５３】
（実施の形態５）
図７は、本発明の第５の実施の形態の洗濯機の貯水部の水位と洗濯兼脱水槽の回転数の関係を示すグラフである。本実施の形態の特徴は、貯水部４６の水がなくなると、洗濯兼脱水槽３４を共振通過後の低振動域回転数４５で回転させるようにしたものである。他の構成は実施の形態１、４と同じであり、同一の構成に同一の符号を付して、詳細な説明は実施の形態１および４のものを援用する。
【００５４】
制御手段３９は、貯水部４６の水がなくなり水路４２ａの温度が上昇してサーモスタット４２ｃが開になると、洗濯兼脱水槽３４を共振通過後の低振動域回転数４５（４００ｒ／ｍｉｎ）で回転させる。
【００５５】
洗濯物に残留した水は遠心力で洗濯物から分離して外槽３３の内壁に流出し、洗濯兼脱水槽３４の回転により外槽３３の内壁に沿って矢印方向へ流れ、一部は外槽３３の側壁３３ｂに設けた取水口４３ａから送水部４３に設けた貯水部４６に流入し、その後、流量調節手段４８で流量を絞られて温水供給手段４２の水路４２ａに流れ込む。
【００５６】
水路４２ａに水が流入すると水路４２ａの温度が下がり、サーモスタット４２ｃが閉じて加熱ヒータ４２ｂに通電される。貯水部４６から温水供給手段４２へ流出する流量は、貯水部４６に流入する流量より少なく設定しているので、貯水部４６の水位は上昇して行く。
【００５７】
貯水部４６に設けた水位検知手段４７が貯水部４６の満水を検知すると、制御手段３９は、洗濯兼脱水槽３４を４５ｒ／ｍｉｎで正転と反転を繰り返す。貯水部４６に貯まった水は徐々に水路４２ａに流れ、加熱されて蒸気となり連通部４４を通ってノズル４４ｂから低速で正反転する洗濯兼脱水槽３４内に噴出し、洗濯物に均一に供給される。
【００５８】
やがて、貯水部４６の水がなくなり、水路４２ａの温度が上昇してサーモスタット４２ｃが開になると、洗濯兼脱水槽３４を共振通過後の低振動域回転数４５（４００ｒ／ｍｉ
ｎ）で回転させて、水を貯水部４６に汲み上げる。上述した動作を所定時間繰り返し実行する。
【００５９】
貯水部４６の水がなくなると、洗濯兼脱水槽３４を共振通過後の低振動域回転数４５で回転させて洗濯物から水を搾り出し、外槽３３に発生する水流を貯水部４６に導き、貯水部４６に水を満たした後に洗濯兼脱水槽３４を低速で正反転させ、温水供給手段４２で発生した蒸気を洗濯兼脱水槽３４に噴出するようにしたものである。
【００６０】
これにより、洗濯兼脱水槽３４を低速で正反転させながら温水供給手段４２からの蒸気が洗濯兼脱水槽３４に繰り返し供給されるようにしたことにより、蒸気が洗濯物に均一にかかるとともに、蒸気が洗濯物にかかる時間を長くすることができ、洗濯物の温度のバラツキが少なく、かつ、高温になって、更に除菌性能を向上することができる。
【００６１】
（実施の形態６）
図８は、本発明の第６の実施の形態の洗濯機の正面から見た要部断面図である。本実施の形態の特徴は、連通部４４の出口４４ａに温度検知手段４９を設け、温度検知手段４９の信号に応じて流量調節手段４８を制御し、温水供給手段４２に供給する水量を変えるようにしたものである。他の構成は実施の形態１と同じであり、同一の構成に同一の符号を付して、詳細な説明は実施の形態１のものを援用する。
【００６２】
制御手段３９は、連通部４４の出口４４ａに設けた温度検知手段４９の信号に応じて流量調節手段４８を制御し、温水供給手段４２に供給する水量を変えるようにしたものである。これにより、洗濯物の許容最高温度が低い場合に、それ以上の温度の温水が洗濯物にかからないようにすることができ、洗濯物を安全に洗浄、除菌することができる。なお、温度検知手段４９の信号に応じて加熱ヒータ４２ｂの通電を制御するようにしてもよく、温度と流量を併せて制御することができる。
【産業上の利用可能性】
【００６３】
以上のように、本発明にかかる洗濯機は、洗濯物に温水を効率よく作用させることができ、少ないエネルギーで洗浄力を高めることができるので、洗濯機として有用である。
【符号の説明】
【００６４】
３３  外槽
３４  洗濯兼脱水槽
３４ａ  投入口
３５  モータ（駆動手段）
３６  給水手段
３９  制御手段
４２  温水供給手段
４３  送水部
４４  連通部
【図２】
2013236694.tif 000003
【図７】
2013236694.tif 000004
【図１】
2013236694.tif 000005
【図３】
2013236694.tif 000006
【図４】
2013236694.tif 000007
【図５】
2013236694.tif 000008
【図６】
2013236694.tif 000009
【図８】
2013236694.tif 000010
【図９】
2013236694.tif 000011